(57)【要約】  本発明は、ラチェット機構を有する力伝達装置と、待機位置から直立位置へおよびその逆方向へ揺動可能な少なくとも２つの支持脚とを有する歩行杖用直立装置に関するものである。力伝達装置には、ラチェット機構のオーバーリフトを補償する伝動装置が付属されている。
2007537801.tif 000002
【特許請求の範囲】
【請求項１】
力伝達装置と、待機位置から直立位置へおよびその逆方向へ揺動可能な少なくとも２つの支持脚とを有する、ラチェット機構をもつ歩行杖用直立装置であって、
前記力伝達装置に、前記ラチェット機構のオーバーリフトを補償する伝動装置が付属されていることを特徴とする歩行杖用直立装置。
【請求項２】
前記伝動装置が、力の伝達方向内において、前記ラチェット機構と前記支持脚との間に配置されていることを特徴とする請求項１に記載の装置。
【請求項３】
前記伝動装置が、歯車ステップ伝動装置であることを特徴とする請求項１または２に記載の装置。
【請求項４】
前記伝動装置が、レバー伝動装置であることを特徴とする請求項１または２の装置。
【請求項５】
前記レバー伝動装置が連結棒を有し、当該連結棒は、片側が前記力伝達装置の引張棒に、反対側が支持脚のレバー・アームにピボット結合されていることを特徴とする請求項４に記載の装置。
【請求項６】
前記伝動装置が、スラスト・ループであることを特徴とする請求項１または２に記載の装置。
【請求項７】
前記スラスト・ループが、少なくとも１つのリンクと、当該リンク内で形状的に定まった係合をなしているカム・ローラまたはリンク・コアとからなり、この場合、前記リンクは、支持脚と前記カム・ローラまたは前記リンク・コアとが、前記力伝達装置の前記引張棒と結合されているか、または運動に関してその逆に結合されていることを特徴とする請求項６に記載の装置。
【請求項８】
前記リンクが、ほぼ直線の２つのアームをもつ、膝のような、ブーメランに類似の形状を有し、前記ほぼ直線の２つのアームは、相互に１８０°の角度に、好ましくはほぼ１３５°の角度に配置されていることを特徴とする請求項７に記載の装置。
【請求項９】
握り部および足部を有する杖棒を備えた歩行杖であり、前記杖棒の足部付近の領域内に、待機位置から直立位置へおよびその逆方向へ揺動可能な、直立装置の支持脚が存在し、前記支持脚は、ラチェット機構を有する力伝達装置を介して、前記握り部に付属されている操作要素と結合されている歩行杖であって、
前記直立装置の前記力伝達装置に、前記ラチェット機構のオーバーリフトを補償する伝動装置が付属されていることを特徴とする歩行杖。
【請求項１０】
前記直立装置の前記伝動装置が、請求項１乃至８の少なくとも１つに基づいて形成されていることを特徴とする請求項９に記載の歩行杖。
【請求項１１】
前記直立装置が、前記歩行杖の外側から装着可能な組立キットとして形成されていることを特徴とする請求項９または１０に記載の歩行杖。
【請求項１２】
前記直立装置の少なくとも一部が、特に前記力伝達装置と、前記ラチェット機構と、前記オーバーリフトを補償する伝動装置とが、前記歩行杖の前記杖棒内に組み込まれていることを特徴とする請求項９または１０に記載の歩行杖。
【発明の詳細な説明】
【技術分野】
【０００１】
本発明は請求項１乃至９の上位概念に記載の歩行杖用直立装置並びに直立装置を有する歩行杖に関するものである。
【背景技術】
【０００２】
欧州特許公開第０９５８８０３号および欧州特許公開第１１３６０５４号から、歩行杖用直立装置並びにこのような直立装置を有する歩行杖が既知である。直立装置は通常の歩行杖にあとから追加して装着可能な組立キットとして設計されていても、または歩行杖内に組み込まれた一体構造部品として設計されていてもよい。両ケースにおいて、最適な片手操作可能性が与えられ、この片手操作可能性は、力伝達装置内に組み込まれているラチェット機構により可能とされる。ラチェット機構により、直立装置の支持脚の開き出しのみならず折畳みもまた、歩行杖の握り部から実行可能な引張運動のみにより開始可能である。支持脚の両方の位置が上記欧州特許出願の図１からわかる。上記ラチェット機構の機能は、その図４および図５およびその付属説明から明白に理解可能である。両方の上記欧州特許出願の内容は明らかに本出願内に含められる。
【０００３】
ラチェット機構の操作においてオーバーリフトを必要とする、またはそれを実行する、ラチェット機構の機能上の性質が欠点とみなされる。このオーバーリフトは、通常のノック式で且つ同じ原理のラチェット機構をもつボールペンの操作において、ノックを操作するとき、はじめに、芯は、のちの筆記位置を超えてボールペン本体から突出し、次に少しだけボールペン本体内に引き込まれ、この結果としてラチェット機構により筆記位置にロックまたはキャッチされるときによく観察されるものである。既知の直立装置においては、支持脚に設けられている歯セグメントは、常に同じ変速比で、ラチェット機構と直接結合されているラック内で形状的に定まった係合をなしているので（前記欧州特許出願の図４参照）、支持脚は、ラチェット機構の操作において、ラチェット機構の前記オーバーリフト運動を同様に実行し、これが種々の理由から欠点とみなされる。
【特許文献１】欧州特許公開第０９５８８０３号
【特許文献２】欧州特許公開第１１３６０５４号
【発明の開示】
【発明が解決しようとする課題】
【０００４】
したがって、このことに関して改善された直立装置ないし対応直立装置を有する歩行杖を提供することが本発明の課題である。
【課題を解決するための手段】
【０００５】
この課題は請求項１乃至９の特徴項に記載の特徴により解決される。
従来使用されている、常にラック内に係合している歯セグメントの代わりに、ここでは、力の伝達方向から見て、ラチェット機構と支持脚との間に、オーバーリフトを補償する伝動装置構造が設けられる。これにより、支持脚は、待機位置から直立位置への開き出しにおいて、この直立位置を超えて揺動することはない。支持脚の折畳みにおいても、支持脚は、はじめに、もはや直立位置を超えた位置から揺動することはない。
【０００６】
有利な伝動装置構造は歯車ステップ伝動装置またはスラスト・ループ伝動装置である。さらに、レバー伝動装置もまた考えられる。
歯車ステップ伝動装置においては、歯セグメントは、支持脚の直立位置に到達したときにラックとの係合から外れ、およびそれに続くラチェット機構のオーバーリフト運動の間に、到達された位置に固定ないし案内され、これによりオーバーリフト運動を受けることはない。
【０００７】
これに対して、スラスト・ループ伝動装置は、特殊な形状に形成されたリンク（案内）およびリンク内に係合するカム・ローラまたはリンク・コアを備えている。この設計においては、歯セグメントもラックも存在しない。各支持脚が、相互に回転しないように付属されたリンクを備え、且つラチェット機構を有する力伝動装置の引張棒が、カム・ローラまたはリンク・コアを備えても、またはその逆となるように備えてもよい。リンク形状は、幾何学的な比に対応して、ラチェット機構のオーバーリフトが支持脚の揺動運動に変換されないように形成されている。
【０００８】
本発明の他の有利な形態が残りの従属請求項から明らかである。
以下に好ましい実施の形態を図面により説明する。
【発明を実施するための最良の形態】
【０００９】
図１に示す歯車ステップ伝動装置は、本明細書の冒頭に記載の２つの欧州特許出願の図４に示す伝動装置に比較して、ラック７が全体としてより短く形成されているので、歯セグメント８は、支持脚の直立位置に到達したときに、ラック７との係合から外れることにおいてそれらとは異なっている。歯セグメント８と、およびそれぞれ相互に回転しないように歯セグメント８と結合されている支持脚３ａ、３ｂとが、それに続くオーバーリフトの間に固定されたままとなるように、各セグメント８に、相互に回転しないように案内本体８′が配置され、案内本体８′は、ラックの下側に一体成形されている延長スタッド７′と、スライドする案内面８′′とを有している。延長スタッドは、それに対応して、案内面のためのフライス削り溝を有している。直立位置への支持脚の開き出しにおける運動過程が、左から右への連続図において理解可能である。支持脚の折畳み過程は、同様に、逆の順序で、即ち右から左へ行われる。
【００１０】
図２はスラスト・ループ伝動装置を示し、スラスト・ループ伝動装置においては、ラチェット機構５から出ている引張棒２の下端部にラックはなく、２つの向かい合う側にそれぞれカム・ローラ７７が固定されている。図示の設計においては、支持脚は２つの部分として設計され、即ち、下部クランプ部材６ｂ内に存在するピボット軸受１０の周りに揺動可能なベル・クランク５３ａないし５３ｂと、およびこのベル・クランクに、３つの弾性圧縮部材５４を介して着脱可能に固定されている支持脚３ａないし３ｂとからなっている。支持脚の側部に、ベル・クランクの上から係合する、外側に曲げられた舌状部材３ａ′ないし３ｂ′が存在する。舌状部材と、およびベル・クランクとクランプ部材６ｂとの間の隙間内に挿入された、支持脚３ａ、３ｂの端部とにより、支持脚３ａ、３ｂは、圧縮部材５４と結合されて、予め設定された限界値までの力には耐え得るようにベル・クランクと結合されている。荷重超過の場合、圧縮部材は結合を解放し、これにより、伝動装置およびラチェット機構５は損傷から保護されている。
【００１１】
ベル・クランク内の引張棒２に向かう領域に、ピボット軸受１０の方向に折り曲げられて伸長するように形成された、片側が解放しているリンク５４が一体成形され、リンク５４内にそれぞれ、前記のカム・ローラ７７が、形状的に定まった係合（形状はめいあい係合）をなしている。リンク形状は、カム・ローラ７７のオーバーリフト運動がベル・クランク５３ａおよび５３ｂの揺動運動に変換されず、ベル・クランク５３ａおよび５３ｂが達成された直立位置をとり続けるように形成されている。
【００１２】
クランプ部材６ｂは、直立装置が通常の歩行杖の外側から装着可能な組立キットを形成するとき、歩行杖の杖棒の下端部を受け入れるための内孔を有している。力伝達装置全体即ち引張棒２およびラチェット機構５、および場合により歩行杖の杖棒の内部の他の構造部品が、外側から見えないように、保護されて装着されているとき、クランプ部材は省略可能である。
【００１３】
図３は、図２に示されている設計の逆のケースを略図で示す。この設計においては、リンク５４′は引張棒２と共に動くようにそれに結合され、一方、リンク内に係合する部品即ちカム・ローラ７７′は支持脚３ａ、３ｂに付属されている。図２および図３の設計におけるリンクは、片側の制御面のみが設けられ且つカム・ローラがばね要素を介して常にこの制御面と当接して保持されるように変更されてもよい。
【００１４】
図４にレバー伝動装置構造が示され、レバー伝動装置構造においては、ピボット軸受１０の周りに揺動可能な支持脚３ａ、３ｂは、ほぼ直角に伸長する、一体成形されている操作レバーを備え、操作レバーは、両側でピボット結合された連結棒により、引張棒２と結合されている。幾何学的な比は、連結棒および操作レバーが、左側に示されている待機位置においては、連結棒および操作レバーが相互にほぼ直角となり、一方、連結棒はほぼ平行に伸長するように選択されている。これに対して、右側に示されている支持脚の直立位置においては、連結棒は引張棒に対してほぼ直角であるので、オーバーリフトは実際には支持脚に作用することはない。
【図面の簡単な説明】
【００１５】
【図１】図１は、歯車ステップ伝動装置を、４つの異なる作動位置において示す。
【図２】図２は、第１の設計によるスラスト・ループ伝動装置を、複数の方向から見た図で示す。
【図３】図３は、第２の設計によるスラスト・ループ伝動装置を示す。
【図４】図４はレバー伝動装置を示す。
【図１】
2007537801.tif 000003
【図２】
2007537801.tif 000004
【図３】
2007537801.tif 000005
【図４】
2007537801.tif 000006
【国際調査報告】
2007537801.tif 000007
2007537801.tif 000008
2007537801.tif 000009
2007537801.tif 000010